(57)【要約】本装置は、放射線ビームを介して記録レイヤのトラックに記録キャリアのリアルタイム情報をシームレスに記録する。本装置は、リアルタイム情報バッファ、及び、ソースと記録手段との間でリアルタイム情報とコマンドを転送するインタフェースを有する。リアルタイム情報を記録する間、本装置は、リアルタイム情報バッファのローカルのリアルタイム情報のバッファ容量を超える期間について、記録キャリアへの情報の書き込みが不可能であることを検出する。そうである場合、リアルタイム情報の転送を一時的に中断するため、停止コマンドがソースに送出される。前記不可能であることが終了したことを装置が検出した後、リアルタイム情報の転送を再開するために再開コマンドが設定される。したがって、特にマルチレイヤ光ディスクで記録するときに、レイヤジャンプの場合において、大容量のバッファを必要とすることなしに、シームレスな記録が提供される。
2007534104.tif 000002
【特許請求の範囲】
【請求項１】
放射線ビームを介して記録レイヤのトラックに記録キャリアのリアルタイム情報を記録する装置であって、
当該装置は、
リアルタイム情報を記録し、前記放射線ビームを供給するヘッドとリアルタイム情報バッファとを含む記録手段と、
ソースと前記記録手段との間でのリアルタイム情報とコマンドを含む制御データとを転送するインタフェースと、
前記リアルタイム情報を記録する間に、前記リアルタイム情報バッファのローカルのリアルタイム情報のバッファ容量を超える期間について、前記記録キャリアに情報を書き込むことが不可能であることを検出し、前記ソースからのリアルタイム情報の転送を一時的に中断するために前記ソースに停止コマンドを送出し、前記不可能であることが終了したことを検出した後に、リアルタイム情報の転送を再開するために前記ソースに再開コマンドを送出する制御ユニットと、
を有することを特徴とする装置。
【請求項２】
前記記録キャリアは、少なくとも第一の記録レイヤと第二の記録レイヤとを有し、前記制御ユニットは、現在の記録レイヤに関する前記ビームの現在の書き込み位置から異なる記録レイヤに関する前記ビームの次の書き込み位置への遷移が実行される必要があることを検出することで、前記不可能であることを検出するために構成され、前記遷移は、前記ローカルのリアルタイム情報のバッファ容量を超える期間を必要とする、
請求項１記載の装置。
【請求項３】
前記制御ユニットは、最後のデータが現在の記録レイヤに書き込まれたことの検出に基づいて前記停止コマンドを送出するため、及び／又は前記ビームが異なる記録レイヤの次の書き込み位置で位置合わせされたことの検出に基づいて前記再開コマンドを送出するために構成される、
請求項２記載の装置。
【請求項４】
前記制御ユニットは、前記再開コマンドを送出する前に異なるレイヤにキャリブレーションプロセスを実行するために構成される、
請求項２記載の装置。
【請求項５】
前記制御ユニットは、エラー回復プロセスを必要とする書き込みエラーが生じたことを検出することで前記不可能であることを検出するために構成される、
請求項１記載の装置。
【請求項６】
前記制御ユニットは、予め決定された閾値を超える前記リアルタイム情報バッファのバッファ記憶容量であることの検出に基づいて前記停止コマンドを送出するために構成される、
請求項１記載の装置。
【請求項７】
前記制御ユニットは、予め決定された閾値以下の前記バッファ記憶容量に基づいて前記再開コマンドを送出するために構成される、
請求項１記載の装置。
【請求項８】
放射線ビームを介して記録レイヤのトラックに記録キャリアのソースからのリアルタイム情報を記録する方法であって、
当該方法は、
前記リアルタイム情報を記録する間に、ローカルのリアルタイム情報のバッファ容量を超える期間について、前記記録キャリアに情報を書き込むことが不可能であることを検出するステップと、
前記ソースからのリアルタイム情報の転送を一時的に中断するために前記ソースに停止コマンドを送出するステップと、
前記不可能であることが終了したことを検出した後に、リアルタイム情報の転送を再開するために前記ソースに再開コマンドを送出するステップと、
を含むことを特徴とする方法。
【請求項９】
前記記録キャリアは、少なくとも第一の記録レイヤと第二の記録レイヤとを有し、前記不可能であることを検出するステップは、現在の記録レイヤに関する前記ビームの現在の書き込み位置から異なる記録レイヤに関する前記ビームの次の書き込み位置への遷移が実行される必要があることを検出するステップを含む、
請求項１記載の方法。
【請求項１０】
プロセッサに、請求項８又は９記載の方法を実行させるために作用する、情報を記録するためのコンピュータプログラム。
【発明の詳細な説明】
【技術分野】
【０００１】
本発明は、放射線のビームを介して記録レイヤのトラックに記録キャリアのリアルタイム情報を記録する装置に関し、当該装置は、リアルタイム情報を記録するための記録手段を有し、この記録手段は、放射線のビームを供給するヘッド及びリアルタイム情報バッファを含む。
【０００２】
本発明は、放射線ビームを介して、記録レイヤのトラックに記憶キャリアのソースからのリアルタイム情報を記録する方法に更に関する。  
本発明は、記録キャリアに情報を記録するためのコンピュータプログラムプロダクトに更に関する。  
特に、本発明は、デュアルレイヤ又はマルチレイヤの光ディスクにリアルタイム情報をシームレスに記録することに関する。
【背景技術】
【０００３】
ＤＶＤ＋ＲＷビデオレコーダのようなリアルタイム情報を記録する公知の光ディスク記録装置は、リアルタイム情報バッファを含む入力ユニットを介してリアルタイム情報を受けるために設けられている。リアルタイム情報バッファは、連続的な記録容量を提供するため、リアルタイム情報を一時的に記憶するために構成される。今日、マルチレイヤ光ディスクにデータを記録するために記録装置が提案されている。
【０００４】
マルチレイヤ光記録メディアは、米国特許出願ＵＳ２００２／００３１０６３から知られている。記録キャリアは、情報が光学的に読取り可能なマークを記録することで表現されるべきトラックの位置を示すため、通常プリグルーブと呼ばれる案内溝をそれぞれ有する複数の記録レイヤを有する。プリグルーブは、（ウォブルとして更に示される）横方向におけるトラックの周期的な振幅によりうねっている。記録装置には、トラックをスキャニングするための放射線のビームを発生するためのヘッドが設けられている。マークは、スキャンされた表面の反射率のバリエーションにより前記スキャニングの間に検出される。
【０００５】
公知の記録装置の問題は、データを記録キャリアに書き込むことができない期間が存在する場合があることである。しかしながら、リアルタイム情報は、ソース装置から記録装置、特にリアルタイム情報バッファに連続的に転送される。したがって、高価な大容量のリアルタイム情報バッファが必要とされる。
【発明の開示】
【発明が解決しようとする課題】
【０００６】
したがって、本発明の目的は、リアルタイム情報バッファのサイズが低減される、リアルタイム情報を記録するためのシステムを提供することにある。
【課題を解決するための手段】
【０００７】
本発明の第一の態様によれば、開始節で記載されたような情報を記録するための装置により、上記目的は達成され、当該装置は、ソースと記録手段との間でリアルタイム情報と、コマンドを含む制御データとを転送するためのインタフェース、及び、リアルタイム情報を記録する間に、リアルタイム情報バッファのローカルのリアルタイム情報のバッファ容量を超える期間について記録キャリアに情報を書き込むことが不可能であることを検出し、ソースからのリアルタイム情報の転送を一時的に中断するためにソースに停止コマンドを送出し、前記不可能であることが終了したことを検出した後にリアルタイム情報の転送を再開するため、ソースに再開コマンドを送出する制御ユニットを有する。
【０００８】
本発明の第二の態様によれば、上記目的は、開始節で記載されるような記録キャリアに情報を記録する方法により達成され、当該方法は、リアルタイム情報を記憶する間に、ローカルのリアルタイム情報のバッファ容量を超える期間について記録キャリアに情報を書き込むことが不可能であることを検出し、ソースからのリアルタイム情報の転送を一時的に中断するためにソースに停止コマンドを送出し、前記不可能であることが終了したことを検出した後に、リアルタイム情報の転送を再開するためにソースに再開コマンドを送出することを含む。
【０００９】
書き込み機能の小さな割り込みは、リアルタイム情報バッファによりマスクされる場合がある。しかし、情報を書き込むことが不可能であることは、かかる中断が低コストの装置について非常に制限される場合がある、ローカルのリアルタイム情報のバッファ容量によりマスクすることができる期間よりも長いかを予測することで検出されるべきである。バッファ容量を超える中断は、さもなければ、リアルタイム情報バッファのオーバフロー及びデータのロスとなる。かかる中断を検出することは、中断のタイプに依存し、中断の周期、データレート、停止コマンドに応じてソース装置の応答時間、及び他のパラメータを予測することを含む場合がある。測定の効果は、ソースが、強制的に、リアルタイム情報を転送するのを中断し、記録装置が再び記録可能になるとすぐにデータ転送を再開することである。これは、シームレスな記録が達成される、すなわち、書き込み機能のローカル又は一時的な中断が存在する場合でさえ、仮想的に連続的なリアルタイムの情報記録領域が記録キャリアに提供されるという利点を有する。さらに、記録装置におけるリアルタイム情報バッファのサイズは、たとえば小さな中断、又は転送速度と記録速度とにおける差に対処するに十分に小さい場合がある。長い中断について大きなリアルタイムバッファが必要とされない。
【００１０】
また、本発明は、以下の認識に基づいている。記録の間、データが記録キャリアに書込みされない期間が存在する場合がある。本発明者は、たとえば、データが再び記録される必要があるとき、又は記録エラーのために異なる位置に記録される必要があるとき、若しくは異なるレイヤで記録を開始するとき、かかる期間が非常に長い場合があることが分かっている。特に、かかる期間は、データを読取る間よりも記録する間が実質的に長い場合がある。読取りについて、通常幾つかのリアルタイム情報のバッファ容量が装置に存在し、この容量は、記録のために共有される場合がある。しかし、都合の悪い記録の中断を除くため、例外的に大きなリアルタイム情報バッファは、記録のみのために必要とされる。本発明者により説明されるように、多くのソース装置は、更なるコストなしにデータ転送を中断することが可能である。たとえば、ソースのデジタルビデオカムコーダ（ＤＶＣ）は、ポーズモードに容易に一時的に進むことができ、再開コマンドの後にデータ転送を再開する。ソース装置としてのパーソナルコンピュータ（ＰＣ）は、リアルタイム情報を一時的に記憶するために十分なメモリを通常有している。したがって、インタフェースを含み、停止及び再開コマンドを発することで、既存のリアルタイム情報の中断又はソース装置のバッファ容量は、記録装置において大きなバッファの必要を低減するために使用される。
【００１１】
装置の実施の形態では、少なくとも第一の記録レイヤと第二の記録レイヤとを有する記録キャリアについて、制御ユニットは、現在の記録レイヤのビームの現在の書き込み位置から異なる記録レイヤのビームの次の書き込み位置への遷移が実行されるべきことを検出することで前記不可能であることを検出するために構成され、この遷移は、ローカルなリアルタイム情報のバッファ容量を超える期間を必要とする。これは、ユーザが第一及び第二のレイヤに及ぶ単一の仮想的な連続の記録スペースの利益があるという利点を有する。
【００１２】
当該装置の実施の形態では、制御ユニットは、エラー回復プロセスを必要とする書込みエラーが生じたことを検出することで前記不可能であることを検出するために構成され、このプロセスは、ローカルのリアルタイム情報のバッファ容量を超える期間を必要とする。なお、エラー回復は、記録キャリアに異なる位置にデータを（再び）書き込むことを必要とするか、又はマネージメント動作を更に検出する場合がある、予め定義された標準的な記録フォーマットに従って編成される場合があることに留意されたい。したがって、必要とされるエラー回復プロセスを知る間、ある期間についてデータを書き込むことが不可能であることを予測することができる。
【００１３】
当該装置の実施の形態では、制御ユニットは、予め決定された閾値を超えてリアルタイム情報バッファのバッファ記憶容量にあることを検出したことに基づいて前記停止コマンドを送出するために構成される。これは、書き込みが不可能であることの理由又はタイプに関わらず、ソースからのリアルタイム情報の転送を停止するための執拗を容易に検出することができるという利点を有する。
【００１４】
本発明に係る装置の更なる好適な実施の形態は、特許請求の範囲で与えられ、その開示は引用により本明細書に盛り込まれる。本発明のこれらの態様及び他の態様は、以下の説明における例示を通して記載される実施の形態を参照して、及び添付図面を参照して更に明らかにされるであろう。図面において、既に記載されたエレメントに対応するエレメントは、同じ参照符号を有している。
【発明を実施するための最良の形態】
【００１５】
図１は、トラック９とセントラルホール１０とを有するディスク状の記録キャリア１１を示している。トラック９は、情報レイヤに実質的に平行なトラックをなす螺旋の回転パターンに従って構成される。記録キャリアは、レコーダブルタイプの光ディスクである場合があり、少なくとも２つの記録可能な情報レイヤを有する。レコーダブルディスクの例は、ＣＤ−Ｒ及びＣＤ−ＲＷ、並びにＤＶＤ＋ＲＷ及びＤＶＤ＋Ｒ、並びにＤＶＤ＋ＲＷ及びＤＶＤ−Ｒである。トラック９は、たとえばプリグルーブといったブランクの記録キャリアの製造の間に設けられるプリトラック構造により示される。プリグルーブは、読取り／書込みヘッドがスキャニングの間にトラック９に追従するのを可能にする。プリグルーブは、へこみ又は上昇として実現されるか、又はプリグルーブの材料とは異なる光学特性を有する材料から構成される場合がある。プリトラック構造は、周期的にサーボ信号を生じさせる規則的に拡散されたサブトラック又はプレピットにより形成される場合もある。記録された情報は、通常はレーザビームである放射線ビームによりトラックに沿って書き込まれた光学的に検出可能なマークによりレイヤに表現される。マークは、物理的なパラメータのバリエーションにより構成され、これにより、ダイ（dye）、アロイ（alloy）又は相変化材料のような材料に記録するときに得られる、たとえばそれらの周囲とは異なる反射係数をもつ領域の形式、又は、光磁気材料に記録するときに得られる、それらの周囲とは異なる偏向の方向をもつ領域の形式といった、それらの周囲とは異なる光学特性を有する。読取りの間、マークは、たとえば反射における変動といった、反射されたビームにおけるバリエーションにより検出可能である。記録キャリアは、たとえばビデオ又はオーディオ情報、若しくはコンピュータデータのような他の情報といったリアルタイム情報を搬送することが意図される場合がある。
【００１６】
また、情報を記録するシステムは、記録キャリアの同じ側から記録可能な少なくとも２つのレイヤを有するマルチレイヤ記録キャリアに関連する。ＤＶＤでは、（論理的な記録順序で最初にあるレイヤを示すＬ０と呼ばれる）第一の記録レイヤは、（Ｌ１と呼ばれる）第二の記録レイヤよりもビームのエントランスの面に近い位置に配置される。なお、「上位の」レイヤは、レーザビームのエントランスの面に最も近いレイヤを示し、「下位の」レイヤは、レーザビームかのエントランスの面から離れたレイヤを示し、これらは、実際にはレーザの位置に依存して記録キャリアの上又は下にある場合がある。代替的に、第一の記録レイヤＬ０は、下位のレイヤである、Ｌ１及び（もしあれば）更に上位のレイヤは、エントランスの側の近くに配置される。
【００１７】
図２は、マルチレイヤ光ディスクを示す。Ｌ０は第一の記録レイヤ４０であり、Ｌ１は第二の記録レイヤ４１である。第一のトランスペアレントレイヤ４３は、第一の記録レイヤをカバーし、スペーサレイヤ４２は、両方の記録レイヤ４０，４１を分離し、基板レイヤ４４は、第二の記録レイヤ４１の下に示されている。第一の（又は上の）記録レイヤ４０は、第二の（又は下の）記録レイヤ４１よりも記録キャリアのエントランス面４７に近い位置に配置される。レーザビームは、Ｌ０レイヤで焦点合わせされる第一の状態で示される。レーザビームは、Ｌ１レイヤで焦点合わせされる第二の状態４６で示される。
【００１８】
マルチレイヤディスクは、ＤＶＤ−ＲＯＭ又はＤＶＤ−Ｖｉｄｅｏのようなリードオンリプリレコードディスクとして既に入手可能である。デュアルレイヤＤＶＤ＋Ｒディスクは、最近提案されており、このディスクは、デュアルレイヤＤＶＤ−ＲＯＭ規格と互換性がある。両方のレイヤの反射レベルは、１８％を超える。Ｌ０は、５０〜７０％の透過率を有する。スペーサレイヤは、３０μｍと６０μｍとの間の典型的な厚さをもつレイヤを分離する。Ｌ１レイヤは、高い反射率を有し、非常に感度が高い必要がある。また、リライタブルデュアルレイヤディスクが提案されている。リライタブルＬ０レイヤは、４０〜６０％前後の透過率を有する。両レイヤの効果的な反射率は、低い値及び高い値が可能であるので（３％〜１８％）、典型的に７％である。３以上の記録レイヤを有する書換え可能及び再書換え可能な光ストレージメディアも考慮される。
【００１９】
図３は、リアルタイム情報のシームレスな記録のための記録装置を示している。装置は、記録キャリア１１のトラックをスキャニングするスキャニング手段が設けられており、この手段は、記録キャリア１１を回転するための駆動ユニット２１、ヘッド２２、トラックにヘッド２２を位置合わせするためのサーボユニット２５、及び、制御ユニット２０を含む。ヘッド２２は、記録キャリアの情報レイヤのトラックの放射線スポット２３に焦点合わせされる光エレメントを通して導かれる放射線ビーム２４を発生するための公知のタイプの光学システムを有する。放射線ビーム２４は、たとえばレーザダイオードといった放射源により発生される。ヘッドは、光ピックアップユニット（ＯＰＵ）と通常呼ばれる全ての光学素子、レーザ及び検出器を統合されたユニットとして含むか、光学素子の幾つかのみを可動式ユニットとして含む場合があり、残りの光学素子及びレーザ並びに検出器は、スプリットオプティクスと通常呼ばれる固定された機械的な位置でユニットにおいて配置され、ビームは、たとえばミラーを介して両方のユニット間で転送される。ヘッドは、前記ビームの光学軸に沿って放射線ビーム２４のフォーカスを移動させるためのフォーカスアクチュエータ、及びトラックの中央で半径方向においてスポット２３を精密に位置合わせするトラッキングアクチュエータを更に有する（図示せず）。
【００２０】
トラッキングアクチュエータは、光学素子を半径方向に移動させるためのコイルを有するか、反射素子の角度を変えるために代替的に配置される場合がある。フォーカス及びトラッキングアクチュエータは、サーボユニット２５からのアクチュエータ信号により駆動される。読み取りについて、情報レイヤにより反射される放射線は、トラッキング及びフォーカシング用のメインスキャニング信号及びエラー信号３５を含む各種スキャニング信号を発生するためのフロントエンドユニット３１に結合される検出信号を発生するためのヘッド２２において、たとえば四象限ダイオードといった通常のタイプの検出器により検出される。エラー信号３５は、前記トラッキング及びフォーカスアクチュエータを制御するためのサーボユニット２５に結合される。メインスキャニング信号３３は、情報を取り出すための、復調器、デフォーマッタ及び出力ユニットを含む通常のタイプの読取り処理ユニット３０により処理される。制御ユニット２０は、たとえばマイクロプロセッサ、プログラムメモリ、及び制御ゲートといった制御回路を有する。制御ユニット２０は、ロジック回路における状態マシンとして実現される。
【００２１】
装置は、書換え可能又は再書換え可能なタイプの記録キャリアに情報を記録するための記録手段が設けられる。記録手段は、入力ユニット２７、フォーマッタ２８、レーザユニット２９、フロントエンドユニット３１及び放射線の書き込みビームを発生するためのヘッド２２を含む。フォーマッタ２８は、たとえば誤り訂正コード（ＥＣＣ）の追加、パターン同期、インタリーブ及びチャネル符号化といった、制御データを加算し、記録フォーマットに従ってデータをフォーマット及び符号化する。フォーマットされたユニットは、アドレス情報を含み、制御ユニット２０の制御下で記録キャリアのアドレス指定可能な位置に書き込まれる。フォーマッタ２８の出力からフォーマット化されたデータは、選択された記録レイヤにマークを書き込むためにレーザパワーを制御するレーザユニット２０に転送される。
【００２２】
ソース装置からのリアルタイム情報は、アナログオーディオ及び／又はビデオ、若しくはデジタル非圧縮オーディオ／ビデオのような入力信号用に圧縮手段を有する場合がある入力ユニット２７に提供される。適切な圧縮手段は、たとえばＷＯ９８／１６０１４−Ａ１（ＰＨＮ１６４５２）におけるオーディオ及びＭＰＥＧ２規格におけるビデオについて記載される。入力ユニット２７は、リアルタイム情報を一時的に記憶するためにバッファ３２を含む。バッファを構成するメモリは、たとえば制御ユニット２０において何処かに配置され、リアルタイム情報を読取るような他の目的のために供給される場合がある。入力ユニット２７は、情報のユニット（単位）にオーディオ及び／又はビデオを処理し、これらは、フォーマット２８に転送される。読み取り処理ユニット３０は、適切なオーディオ及び／又はビデオ復号化ユニットを有する場合がある。
【００２３】
装置は、ソースと記録手段との間でリアルタイム情報及び制御データの転送のためのインタフェース３４を有する。特に、インタフェースは、リアルタイム情報を転送するために入力ユニット２７に結合され、制御データを転送するために制御ユニット２０に結合される。制御データは、以下に説明されるように予め定義されたプロトコルに従うコマンドを含む。
【００２４】
実施の形態では、記録装置は、たとえばコンピュータでの使用向けに光ディスクドライブといったストレージシステムである。制御ユニット２０は、標準化されたインタフェースを介してホストコンピュータシステムにおける処理ユニットと通信するために構成される。
【００２５】
実施の形態では、装置は、たとえば消費者による使用のためのビデオ記録装置といったスタンドアロンユニットとして構成される。制御ユニット２０、又は装置に含まれる更なるホスト制御ユニットは、ユーザにより直接制御されるため、及びファイルマネージメントシステムの機能を実行するために構成される。
【００２６】
制御ユニット２０は、図４を参照して以下に記載されるようにシームレスな記録を実行するための記録機能を制御するために構成される。代替的に、シームレスな記録のための制御機能は、ソフトウェアドライバを介して、又はデータキャリアに提供されるアプリケーションソフトウェアプログラムを介して、若しくはインターネットのようなネットワークを介して、たとえばホストコンピュータといった異なる処理ユニットで部分的に実行される場合がある。制御ユニット２０は、通常通りリアルタイム情報の記録を制御するために構成される。本発明によれば、シームレスな記録のための制御プロセスは、以下のように実現される。
【００２７】
図４は、シームレスな記録のための制御プロセスを示す。第一のステップＲＥＣでは、リアルタイム情報のための記録プロセスが開始される。記録の間、検出においてループステップＦＩＮ４７、ＩＮＡ４２及びＥＸＣ４３が実行される。ステップＦＩＮ４７において、記録機能が完了されたかが検出される。ステップＩＮＡ４２において、たとえば記録プロセスをモニタすることで、記録キャリアに情報を書き込むための割り込みが検出される。割り込みが生じた場合、ステップＥＸＣ４３では、割り込みは、期間がローカルのリアルタイム情報のバッファ容量を超える場合に情報を書き込むことが不可能であるとして分類される。たとえば、データブロックが記録キャリアに書き込むことができないときに、割り込みのタイプが検出される場合があり、制御ユニットは、タイムアウト又は他のエラー信号を検出することで気付く場合がある。特に、書き込み機能の割り込みが利用可能なリアルタイム情報のバッファ容量によりマスクすることができるよりも長く続くかが予測されることになる。たとえば、ステップＥＸＣ４３で、リアルタイム情報バッファ３２におけるデータの量をモニタすることで閾値レベルを超えるかが検出される。ローカルバッファは、次のステップＳＴＯＰ４４で停止コマンドを送出後にソース装置の応答時間の間になお到来するリアルタイム情報を記憶するための十分なフリースペースを有することが必要である。予測は、既知又は検出されたデータレート、リアルタイム情報バッファで残されているストレージスペースの量、割り込みのタイプの基づいた割り込みの時間の予測値等に基づく場合がある。たとえば、検出は、予め決定されたバッファ記憶容量の閾値に基づく場合がある。超えた場合、ステップ４４で、ソースからリアルタイム情報の転送を一時的に中断するためのインタフェースを介して、停止コマンドがソース装置に送出される。結果として、ソース装置は、リアルタイム情報を送出するのを停止する。なお、装置は、リアルタイム情報がもはや送信されないか又は停止される瞬間を識別するための送信停止検出器を含む場合がある。幾つかのソース装置は停止コマンドによりトリガされる停止モードの間に静止画を送信する場合があるので、停止検出器には、静止画を検出するためのビデオ処理機能が設けられる場合がある。
【００２８】
次のステップＷＲＩＴ４５では、たとえばエラー回復プロセスが完了したため、前記不可能であることが終了したことを検出した後、記録キャリアへの書込みが継続されるかが検出される。そのようである場合、次のステップＲＥＳ４６では、リアルタイム情報の転送を再開するため、再開コマンドがソースに送出される。記録プロセスは、ステップＦＩＮ４７，ＩＮＡ４２及びＥＸＣ４３の検出ループで継続される。
【００２９】
実施の形態では、シームレスな記録のための制御プロセスは、マルチレイヤの記録キャリアでの記録用である。記録キャリアは、図２に示されるように、少なくとも第一の記録レイヤ及び第二の記録レイヤを有する。制御プロセス、特にステップＩＮＡ４２は、たとえば現在のレイヤが大部分で完全に記録されたことを検出することで、ある現在の記録レイヤに関するビームの現在の書き込み位置から異なる記録レイヤに関するビームの次の書き込み位置への遷移が実行される必要があることを検出することで、前記不可能であることを検出するために構成される。異なるレイヤへの遷移は、データを書き込むことができない少なくとも既知の最小の期間を必要とし、この期間は、ローカルのリアルタイム情報のバッファ容量を超えるために既知である場合がある。したがって、ステップＥＸＣ４３は、割り込みのタイプから、不可能であることの期間がリアルタイム情報のバッファ容量を超えることを検出する。特に、レイヤのジャンプの場合にシームレスな記録のための制御プロセスは、最後のデータが現在の記録レイヤに書き込まれたことの検出に基づいて停止コマンドを送出する。さらに、シームレスな記録用の制御プロセスは、ビームが異なる記録レイヤの次の書き込み位置で位置合わせされることを検出ことに基づいて再開コマンドを送出する場合がある。
【００３０】
実施の形態では、マルチレイヤの記録キャリアでのシームレスな記録用の制御プロセスは、前記再開コマンドを送出する前に、第二の異なるレイヤでキャリブレーションプロセスを実行するために構成される。たとえば、第二のレイヤでのキャリブレーションは、ディスクの中央のエリアで行われる。第二のレイヤへの書き込みを開始する前に、レイヤジャンプでのキャリブレーションの理由は、以下を含む。キャリブレーションの結果は、環境的な状況に依存して異なる場合がある。はじめに、第一のレイヤに書き込む前に、装置の温度は、たとえば第一のレイヤに書き込みをする数時間後といった、第二のレイヤにジャンプする瞬間よりも非常に低い場合がある。
【００３１】
同じレイヤに書き込む間、温度及び環境の状況が変化するが、適応的な最適パワーコントロールである、いわゆる「ランニングＯＰＣ」も変化する場合がある。しかし、ランニングＯＰＣは、同じレイヤで記録が継続する限り機能するために設計されるが、物理的に異なるレイヤへの切り替えをカバーしない。したがって、パワーのようなパラメータを記録するための新たなキャリブレーションは、新たなレイヤで実行される必要がある場合がある。
【００３２】
実施の形態では、ソース装置に結合されるべきインタフェース３４は、２００１年１２月１１日付に１３９４Ｔｒａｄｅ  Ａｓｓｏｃｉａｔｉｏｎからの“TA  document  2001017  AV/C  Tape  Recorder/Player  Submit  Specification  2.2”で記載されたようなＡＶ−Ｃ／ＣＴＳコマンドをサポートするＩＥＥＥ１３９４のような、予め定義されたコマンドのセットをサポートするデジタルインタフェースである。この文献は、ＩＥＥＥ  Ｓｔｄ１３９４−１９９５に対する、コンシューマ及びプロフェッショナルテープレコーダ／プレーヤ装置用のコマンドセットを定義する。コマンドセットは、テープレコーダ／プレーヤのコマンド要求及び応答の転送について、Digital  Interface  for  Consumer  Electronic  Audio/Video  Equipmentのための提案される規格である、ＩＥＣ６１８８３により定義されるＦｕｎｃｔｉｏｎ  Ｃｏｎｔｒｏｌ  Ｐｒｏｔｏｃｏｌ（ＦＣＰ）を利用する。オーディオ／ビデオ装置は、ＩＥＥＥ  Ｓｔｄ１３９４−１９９５での一般的なユニットアーキテクチャとして実現される。特に、（ページ３９−４０及び表１での）セクション４．１５ＰＬＡＹコマンド、及びデジタルテープレコーダ用の関連するコマンドが定義される。ＰＬＡＹコマンドは、プレイモードＦＯＲＷＡＲＤ  ＰＡＵＳＥ及びＦＯＲＷＡＲＤを含む。ＦＯＲＷＡＲＤ  ＰＡＵＳＥコマンドは停止コマンドに対応し、ＦＯＲＷＡＲＤコマンドは再開コマンドに対応する。この規格について、ポーズモードにおいて、同じフレームが繰返し送出される（すなわち静止画像）。好ましくは、このフレームは、記録装置により無視される。フレームの繰返しは、以下に基づいて認識及び廃棄される場合がある。制御データ（メタデータと呼ばれる）に含まれるタイムコード属性。同じタイムコードが前に受信された場合、新たなフレームを廃棄する。メタデータに含まれるトランスポートモード属性。トランスポートモードがポーズを示す場合、新たなフレームを廃棄する。
【００３３】
実施の形態では、ソース装置に結合されるべきインタフェース３４は、たとえば、ＥａｓｙＬｉｎｋ又はＣｉｎｅｍａＬｉｎｋのような商業的に公知のコマンドプロトコルをサポートする公知のＳＣＡＲＴインタフェースといった、リアルタイム情報用のアナログインタフェース回路である。いわゆるＩＳＴＢコマンドセットを介して、記録装置は、入力装置を停止／再開するためのコマンドを発行する。制御を入力装置に提供するための別のインタフェースは、いわゆるＩＲブラスタを介する。記録装置は、ＩＲブラスタを介してＩＲコードを入力装置に送出する。
【００３４】
実施の形態では、ソース装置は、送信されたリアルタイム情報をもつ制御データを含まない場合があり、これにより、ポーズモード又はデータ転送のタイプの示唆を欠く。ポーズにおいて、ソース装置は、同じ画像を繰返し表示する場合がある。好ましくは、この画像は、記録装置により無視される。この状況を検出するためのオプションは、以下の通りである。
【００３５】
ソース装置を停止するためにコマンドを送出した後に全ての入力を単に無視する（すなわち入力装置を停止する）。送出後の更なる期間において、コマンドのリアルタイム情報がなお許容される場合がある。これは、プレイバックの間に短いフリーズとなる場合があるが、データが失われない。  
たとえばハードウェア処理サポートとのビデオ比較といったリアルタイム情報を比較する。これは、シームレスなリンクとなる場合があり、すなわちフリーズがない。意図的に繰り返される画像がスキップされる（偶発的な）ケースがある場合がある。しかし、その可能性は、非常に低く、特に比較が停止コマンドを送出した後にのみアクチベートされる時に非常に低いようにみえる。
【００３６】
実施の形態では、シームレスな記録のための制御プロセスは、書き込みエラーが生じたことを検出することで、前記不可能であることを検出するために構成される。書き込みエラーにより、異なる位置で再び同じデータを書き込むか、又は、記録キャリアの予め定義された位置の欠陥管理領域に幾つかの欠陥管理データを追加することになる場合がある。したがって、書き込みエラーからの回復のため、エラー回復プロセスが実行され、このプロセスは、リアルタイム情報の書き込みを阻止する回復期間を必要とする。回復期間がローカルのリアルタイム情報のバッファリングキャパシティを超えるとき、ソース装置は、先に記載されたように停止される。
【００３７】
実施の形態では、シームレスな記録の制御プロセスは、リアルタイム情報バッファのバッファ記憶容量（buffer  fullness）の検出に基づいて前記停止コマンドを送出するために構成される。なお、リアルタイム情報バッファ３２におけるデータ量は、転送レート又はデータレートにおける変動のため正常に変動する。しかし、書き込みが不可能であることの検出は、リアルタイム情報バッファが予め決定された閾値を超える記憶量であることを検出することから導出される。同様に、書込みが不可能であることの終了の検出は、リアルタイム情報バッファの最大量のレベルが予め決定された閾値以下になることを検出することから導出される場合がある。なお、バッファが最大容量であることを検出することにより、シームレスな記録プロセスは、書き込みが不可能な実際の理由に独立となる場合がある。代替的に、バッファが最大容量であることの監視は、書き込みの特定のタイプの割り込みが既に確立されている事実に依存して行われる場合がある。たとえば、欠陥管理プロセスの間にのみ、リアルタイム情報バッファの記憶容量が監視され、両方の条件が当てはまる場合にソース装置が停止される。
【００３８】
本発明は螺旋状のトラックを有するデュアルレイヤの光ディスクを使用した実施の形態により主に説明されたが、本発明は、矩形の光カード、光磁気ディスク、磁気ディスク、又は多数の記録可能なレイヤによる書き込み機能における割り込みに苦しむ他のタイプの情報ストレージシステムのような他の記録キャリアにも適している。さらに、提案される方法は、予め定義されたビデオ仕様に従ってフォーマットされた単一の大容量のビデオコンテンツがソース装置（たとえばＨＤＤ）で利用可能であって、デュアルレイヤレコーダブルディスクにコピーされる必要があるときにも適用される。たとえば、ＤＶＤビデオコンテンツは、ソフトウェアツールにより形成されるか、デュアルレイヤＤＶＤ−Ｖｉｄｅｏディスクから容易にコピーされる場合がある。
【００３９】
なお、この明細書では、単語「有する“comprise”」は、記載された以外のエレメント又はステップの存在を排除するものではなく、エレメントに先行する単語“ａ”又は“ａｎ”は、複数のかかるエレメントの存在を排除するものではなく、参照符号は特許請求の範囲を制限するものではなく、本発明は、ハードウェア及びソフトウェアの両者により実現される場合があり、幾つかの「手段」又は「ユニット」は、同一アイテムのハードウェア又はソフトウェアにより表現される場合がある。さらに、本発明の範囲は、実施の形態に制限されず、本発明は、先に記載された特徴又は特徴の組み合わせにある。
【図面の簡単な説明】
【００４０】
【図１】ディスク状の記録キャリアを示す図である。
【図２】マルチレイヤ光ディスクを示す図である。
【図３】リアルタイム情報のシームレスな記録用の記録装置を示す図である。
【図４】シームレスな記録のための制御プロセスを示す図である。
【図１】
2007534104.tif 000003
【図２】
2007534104.tif 000004
【図３】
2007534104.tif 000005
【図４】
2007534104.tif 000006
【国際調査報告】
2007534104.tif 000007
2007534104.tif 000008
2007534104.tif 000009